(57)【要約】【課題】支持材へ固定具を介して被固定物を装着する時に、固定作業の効率を上げること及び確実に被固定物を固定することが可能な固定具を提供する。【解決手段】背板部２２の一面に、拡開可能且つ支持材１１の係止溝１２の対向壁面１３，１４と圧接可能であって内面側に突縁部２４，２５を有する複数対の圧接脚片２３が相互に独立して一列に突設されるとともに、背板部２２のこれら圧接脚片２３の突設位置に対応する複数箇所にネジ孔２６が貫設されてなる固定具本体２１と、ネジ孔２６に螺入されるとともに、螺入時に圧接脚片２３の突縁部２４，２５と噛み合い圧接脚片２３を拡開させて係止溝１２の対向壁面１３，１４に圧接させる複数本の固定ネジ３１とを備えた。【選択図】  図１
2007229005.tif 000002
【特許請求の範囲】
【請求項１】
支持材に設けられた係止溝内に摺動可能に挿入され、該支持材に被固定物を固定するための固定具であって、
背板部の一面に、拡開可能且つ前記係止溝の対向壁面と圧接可能であって内面側に突縁部を有する複数対の圧接脚片が相互に独立して一列に突設されるとともに、背板部のこれら圧接脚片の突設位置に対応する複数箇所にネジ孔が貫設されてなる固定具本体と、
この固定具本体の前記ネジ孔に螺入されるとともに、螺入時に前記圧接脚片の突縁部と噛み合い圧接脚片を拡開させて前記係止溝の対向壁面に圧接させる複数本の固定ネジとを備えたことを特徴とする固定具。
【請求項２】
前記固定具本体は、アルミダイキャスト製とされたことを特徴とする請求項１に記載の固定具。
【請求項３】
前記固定ネジは、前記被固定物と係合される係合部材を兼ねていることを特徴とする請求項１又は２に記載の固定具。
【請求項４】
軸方向に沿って係止溝が形成された複数本の支柱と、
背板部の一面に、拡開可能且つ前記係止溝の対向壁面と圧接可能であって内面側に突縁部を有する複数対の圧接脚片が相互に独立して一列に突設されるとともに、背板部のこれら圧接脚片の突設位置に対応する複数箇所にネジ孔が貫設されてなる固定具本体、及び、この固定具本体の前記ネジ孔に螺入されるとともに、螺入時に前記圧接脚片の突縁部と噛み合い圧接脚片を拡開させて前記係止溝の対向壁面に圧接させる複数本の固定ネジを備えた固定具と、
この固定具のネジ孔に螺入又は嵌入される係合部材と、
この係合部材と前記固定具とにより前記支柱間に固定される什器ユニットと、
を備えたことを特徴とする組立式什器。
【発明の詳細な説明】
【技術分野】
【０００１】
本発明は、支持材へ固定具を介して付属品の固定をする時に、目的とする固定位置の保持を確実にして且つその作業効率を上げることが可能な固定具及び組立式什器に関する。
【背景技術】
【０００２】
従来、支持材の任意の位置に取り付けることのできる固定具としては、例えば実用新案登録第３１０５１４３号公報に所載のものが知られている。以下、この固定具について、図４及び図５を参照して説明する。
【０００３】
図４は、固定具を支持材に取り付ける状態を示す分解斜視図、図５は、固定具を支持材に取り付けた状態を示す横断面図である。
【０００４】
図４に示すように、支持材１１１にはその長手方向に溝１１４が設けられ、この溝１１４の内側対向壁面には係止溝１１２と係止突条１１３とがそれぞれ一対ずつ形成されている。一方、固定具１２０は、その背板部１２１に複数個のネジ孔１２５が設けられるとともに、この背板部１２１の両側縁から一対の壁面１２３が対設されている。これら一対の壁面１２３の開放端部の外側には係止突条１２４がそれぞれ形成されている。また、壁面１２３の内方は、開放端部に向かうにしたがって漸次窄められており、壁面１２３の開放端部の内面と、上記ネジ孔１２５に螺入される固定ネジ１３１の先端円周部とが当接するように構成されている。
【０００５】
このようになる固定具を支持材１１１に取り付けた状態を図５に示す。支持材１１１の長手方向の溝１１４内側に壁面１２３をその係止突条１２４を先方にして挿入すると、一対の壁面１２３の開放端部が、支持材１１１の係止突条１１３に当接するとともに、壁面１２３の係止突条１２４が支持材１１１の溝１１４と係合する。次に、この状態でネジ孔１２５に固定ネジ１３１を螺入すると、その先端円周部が壁面１２３の内面と接触し、上述したように壁面１２３の内方は開放端部向かうにしたがって漸次窄められていることから、固定ネジ１３１の進行に伴って壁面１２３が支持材１１１の溝１１４の内側対向壁面に拡開していく。さらに固定ネジ１３１を螺入していくと、壁面１２３の拡開が進み、やがて壁面１２３の外面が支持材１１１の溝１１４の対向壁面とそれぞれ圧接することとなり、これによって壁面１２３の外面と支持材１１１の溝１１４の対向壁面との間に生じる摩擦力が強大なものとなり固定具が支持材１１１に固定されることとなる。
【０００６】
以上のようにして支持材１１１に固定される固定具を用いて、例えば棚板などを支持材に固定するにあたっては、固定具のネジ孔１２５のうち望ましい位置にあるネジ孔１２５に、上記した固定ネジ１３１に代えて、係止手段を備えた係止ネジ（図示省略）を螺入し、この係止ネジに、棚板の端部に設けた係止部を係止させるようにしている。
【０００７】
このようになる固定具にあっては、一対の壁面１２３を支持材１１１の溝１１４の内側対向壁面へ圧接することで支持材に固定するようにしたものであるから、支持材の任意の位置に取り付けることができ、延いては棚板などの取付高さを自由に選択することができる。
【特許文献１】実用新案登録第３１０５１４３号
【発明の開示】
【発明が解決しようとする課題】
【０００８】
しかし従来の固定具にあっては、一対の壁面１２３を背板部１２１の両側縁にその全長に亘って設けるとともに、背板部１２１に複数個のネジ孔１２５を形成し、これら複数個のネジ孔１２５にそれぞれ固定ネジ１３１を螺入して一対の壁面１２３全体を均等に拡開させようとするものであるから、ネジ孔１２５に少数の固定ネジ１３１を螺入するだけでは、壁面１２３を十分に拡開させることができず、支持材１１１の溝１１４の内側対向面に対する壁面１２３の圧接力が不足して、固定位置が保持され難くなる。したがって、支持材１１１の溝１１４に固定した固定具に棚板などを取り付けた場合、つまりネジ螺入方向に対し垂直方向の大きな荷重がかかると固定具は溝１１４内でずれてしまい、固定位置を保持することができなくなる。
【０００９】
また、上述したように複数個のネジ孔１２５にそれぞれ固定ネジ１３１を螺入しなければ一対の壁面１２３全体が均等に拡開されないものであるから、換言すれば、固定ネジ１３１を１本だけネジ孔１２５に螺入したくらいでは一対の壁面１２３を拡開させることができないものであるから、固定具を支持材に仮固定する際にも固定ネジ１３１を複数本用いる必要がある。このため、仮固定作業及び本固定作業とも極めて煩瑣であるといった問題があった。
【００１０】
さらに、支持材１１１の溝１１４の内側対向面に対する固定具の壁面１２３の圧接は、固定ネジ１３１の先端円周部が壁面１２３の内面と押圧状態で接触することにより維持されるものであるから、時間経過とともに自然に固定ネジが緩んで外れることもあり、固定した棚板などの付属品が脱落してしまうといった危険性があった。
【００１１】
そこで、本発明は、支持材への固定作業が極めて容易であるとともに脱落の危険性のない固定具及びこの固定具を用いた組立式什器を提供することを目的としている。
【課題を解決するための手段】
【００１２】
前記課題を解決するために本発明に係る固定具は、背板部の一面に、拡開可能且つ係止溝の対向壁面と圧接可能であって内面側に突縁部を有する複数対の圧接脚片が相互に独立して一列に突設されるとともに、背板部のこれら圧接脚片の突設位置に対応する複数箇所にネジ孔が貫設されなる固定具本体と、この固定具本体の前記ネジ孔に螺入されるとともに、螺入時に前記圧接脚片の突縁部と噛み合い圧接脚片を拡開させて前記係止溝の対向壁面に圧接させる複数本の固定ネジとを備えたことを特徴とするものである。
【００１３】
このようになる本発明によれば、支持材に設けられた係止溝内においてその対向壁面に圧接される圧接脚片を、複数対設けたものとしているから、個々の圧接脚片は従来の固定具の壁面に比べて拡開が極めて容易なものとなっている。また、これら圧接脚片の突設位置に対応してネジ孔を設けているから、固定具を支持材の溝内に仮固定する場合には、いずれか一対の圧接脚片を、これに対応するネジ孔に固定ネジを螺入することで容易に拡開させることができ、支持材の溝内に簡単に仮固定することが可能となる。また、本固定を行う場合は、各ネジ孔に固定ネジを螺入することになるが、上述したように各固定ネジ毎に一対の圧接脚片を拡開させるものであるから、いずれの螺入作業も容易となる。しかも、各圧接脚片の拡開が容易である分、各圧接脚片毎に確実な圧接力を得ることが可能となることから、支持材への固定が確実なものとなる。
【００１４】
また、ネジ孔を介して固定ネジを圧接脚片の突縁部間に強制的に螺入していくことで、固定ネジと突縁部が噛み合うので、この両者の噛み合いにより、螺入した固定ネジが緩むのが防止される。
【００１５】
本発明に係る固定具は、また、その固定具本体がアルミダイキャスト製であってもよい。
【００１６】
また、固定ネジは、被固定物と係合する装着ネジを兼ねたものであってもよい。
【００１７】
この場合、固定具の支持材への固定と、固定具への被固定物の係合とが１つの装着ネジで行うことができ、部品点数の削減を図ることができる。
【００１８】
また、本発明に係る組立式什器は、軸方向に沿って係止溝が形成された複数本の支柱と、背板部の一面に、拡開可能且つ前記係止溝の対向壁面と圧接可能であって内面側に突縁部を有する複数対の圧接脚片が相互に独立して一列に突設されるとともに、背板部のこれら圧接脚片の突設位置に対応する複数箇所にネジ孔が貫設されてなる固定具本体、及び、この固定具本体の前記ネジ孔に螺入されるとともに、螺入時に前記圧接脚片の突縁部と噛み合い圧接脚片を拡開させて前記係止溝の対向壁面に圧接させる複数本の固定ネジを備えた固定具と、この固定具のネジ孔に螺入又は嵌入される装着ネジと、この装着ネジと前記固定具とにより前記支柱間に固定される什器ユニットと、を備えたことを特徴とするものである。
【発明の効果】
【００１９】
以上のことから本発明によれば、背板部の一面に、拡開可能且つ前記係止溝の対向壁面と圧接可能であって内面側に突縁部を有する複数対の圧接脚片が相互に独立して一列に突設されるとともに、背板部のこれら圧接脚片の突設位置に対応する複数箇所にネジ孔が貫設されてなる固定具本体と、この固定具本体の前記ネジ孔に螺入されるとともに、螺入時に前記圧接脚片の突縁部と噛み合い圧接脚片を拡開させて前記係止溝の対向壁面に圧接させる複数本の固定ネジとを備えたことで、固定ネジの螺入で前記ネジ孔に対応する圧接脚片が均等に拡開され、支持材の溝内面方向へ押し付ける力と接触面積が大きなものとなるから、前述したように固定具の仮固定及び本固定の各作業が容易なものとなり、しかも被固定物を支持材に確実に固定することができる。
【００２０】
また、固定ネジを螺入することにより、固定ネジが圧接脚片を拡開させるとともに突縁部と噛み合うので、固定ネジが緩んで外れる恐れがない。
【００２１】
さらに、アルミダイキャスト製とすれば、突縁部などの様々な形状の加工に容易に対応できることに加え、大量生産にも対応することが可能となる。
【００２２】
また、固定ネジを、被固定物と係合する装着ネジと兼ねたものとすれば、固定具の支持材への固定と、固定具への被固定物の係合とが１つの装着ネジで行うことができ、部品点数の削減を図ることができるとともに、作業性の向上を図ることができる。
【発明を実施するための最良の形態】
【００２３】
以下、本発明の実施の形態について図面を参照して説明する。
【００２４】
図１は、本発明に係る固定具の一実施の形態を示す分解斜視図、図２は、支持材に固定具を固定した状態を示す横断面図である。
【００２５】
この固定具２０は、支持材１１に設けられた係止溝１２内に摺動可能に挿入され、支持材１１に被固定物６０（図３参照）を固定するためのものである。
【００２６】
この固定具２０は、アルミダイキャスト製の固定具本体２１と、複数本の固定ネジ３１とを備えたものである（尚、図１には固定ネジ３１を１本のみ表示し、他の固定ネジの表示を省略している。）。固定具２０の背板部２２の一面には、複数対の圧接脚片２３…が相互に独立して一列に突設されている。これら各圧接脚片２３…は、それぞれ拡開可能且つ上記係止溝１２の対向壁面１３，１４と圧接可能とされている。また、各圧接脚片２３…の内面側には、固定ネジ３１と噛み合う突縁部２４，２５が背板部２２と平行に形成されている。さらに、各圧接脚片の先端外縁部には、支持材１１の係止溝１２の最深部に対設された係止溝１２と嵌合する係止突条２７が背板部２２と平行に形成されている。
【００２７】
また、背板部２２には、その長手方向に沿って一列に複数個のネジ孔２６…が貫設されている。これら各ネジ孔２６…は、上記した複数対の圧接脚片２３の突設位置に対応するように、且つ、圧接脚片２３の中央に位置するよう設けられている。図示例では、一対の圧接脚片２３について１個のネジ孔２６を設けているが、これに限らず、一対の圧接脚片２３について複数個のネジ孔２６を形成してもよい。
【００２８】
なお、図示例では、固定具本体２１の背板部２２は、支持材１１の係止溝１２内に嵌入し得るよう正面視短冊状に形成されたものとしているが、これに限るものではなく、複数対の圧接脚片２３が支持材１１の係止溝１２内に挿入可能であって且つ係止溝１２の対向壁面１３，１４と圧接可能であれば、係止溝１２から浮上していてもよく、その場合は、例えば楕円形や三角形など、デザインを考慮した任意の形状とすることも可能である。
【００２９】
また、固定具本体２１は、アルミダイキャスト製以外でもよく、要するに、圧接脚片２３が拡開し得て、支持材１１の係止溝１２の対向壁面１３，１４との間で十分な摩擦力を招来することのでき、しかも固定ネジ３１と噛み合うことのできる素材であれば、他の金属又は合成樹脂でもよい。
【００３０】
上記固定ネジ３１は、固定具本体２１のネジ孔２６に螺入されるとともに、螺入時に圧接脚片２３の突縁部２４，２５と噛み合い、圧接脚片２３を拡開させて係止溝１２の対向壁面１３，１４に圧接させるためのものである。
【００３１】
この固定ネジ３１の本数は、固定具本体２１のネジ孔２６の数と同数であってもよいし、固定具本体２１を支持材１１の係止溝１２内に確実に固定できるのであれば、それよりも少なくてもよい。
【００３２】
固定ネジ３１は、その長さが、固定具本体２１のネジ孔２６に螺入した際、圧接脚片２３の突縁部２４，２５と確実に噛み合うとともに圧接脚片２３を拡開させ得ることのできる長さとされたものである。また、この固定ネジ３１としては、固定具本体２１のネジ孔２６内に陥没し得るようイモネジが好適に採用される。さらに、固定ネジ３１の材質としては、固定後に緩むことがないよう、圧接脚片２３の突縁部２４，２５と噛み合った際にネジ山が潰れて逆転を許さないものが望ましい。
【００３３】
次に、上記した固定具２０を支持材１１に固定する手順について説明する。
【００３４】
まず、固定具本体２１の圧接脚片２３を支持材１１の係止溝１２内に挿入するとともに、係止溝１２の最深部に位置する係止溝１２と固定具本体２１の係止突条２５とを係合させる。これにより、固定具本体２１は、係止溝１２に案内される形で係止溝１２内において摺動可能となる。
【００３５】
続いて、固定具本体２１を係止溝１２内で摺動させて、片手で固定予定位置に停留させ、その状態で任意のネジ孔２６に固定ネジ３１を螺入する。すると、固定ネジ３１の先端部が、該ネジ孔２６に対応する圧接脚片２３の突縁部２４と接触し、圧接脚片２３が拡開される。これにより、複数対あるうちの一対の圧接脚片２３が、支持材１１の係止溝１２の対向壁面に、固定具本体２１が係止溝１２内を滑り落ちることがない程度に圧接され、固定具本体２１の仮固定を完了する。
【００３６】
次に、固定具本体２１の固定位置が確定したならば、最初に螺入した固定ネジ３１をさらにねじ込んで圧接脚片２３の突縁部に噛み込ませるとともに、圧接脚片２３を係止溝１２の対向壁面に圧接させる。これと同様に、他のネジ孔２６にもそれぞれ固定ネジ３１を螺入し、それぞれの圧接脚片２３を係止溝１２の対向壁面に圧接させる。
【００３７】
また、固定具本体２１のネジ孔２６のうち、所定のネジ孔２６には、被固定物６０（図３参照）を固定具本体２１と係合させるための装着ネジ４２を、固定ネジ３１と同様に螺入する。
【００３８】
以上で固定具２０の固定作業を完了する。
【００３９】
図３は、上記した固定具２０を用いた組立式什器の一実施態様を示す部分分解斜視図である。
【００４０】
この組立式什器は、軸方向に沿って係止溝１２が形成された複数本の支柱１０と、固定具２０と、この固定具２０のネジ孔に螺入される装着ネジ４２と、この装着ネジ４２と固定具２０とにより支柱１０間に固定される什器ユニット６２とを備えたものである。
【００４１】
支柱１０及び固定具２０は、ともに上記図１及び図２で説明した実施の形態と同じであるのでここではそれらについての説明を省略する。なお、図３において符号７１は、支柱１０の上端及び下端にそれぞれ装着される天井・床装着用部品を示し、この部品７１により支柱１０は、図示しない床と天井間に立設される。
【００４２】
什器ユニット６２とは、支柱１０間に固定具２０によって固定される、例えば棚板６１や、あるいは開閉扉を有する袋戸棚、ハンガーバー等をいう。
【００４３】
棚板６１は、載置板６１、補助側板４１及び補強材５１とから構成されている。この棚板６１を支柱１０に固定するにあたっては、まず、固定具本体２１を前述した要領で支柱１０の係止溝１２に仮固定した後、この固定具本体２１に、前記補助側板４１、補強材５１、載置板６１から組み上げた棚板６１を、装着ネジ４２でもって仮止めする。このとき、空いているネジ孔２６にそれぞれ固定ネジ３１を軽くネジ入れ、仮止めしておく。
【００４４】
次に、棚板６１の高さ位置及び水平度を確認し、この確認ができたならば、仮止め済みのすべての固定ネジ３１と装着ネジ４２をさらに螺入することで、それぞれを各圧接脚片２３の突縁部２４，２５に噛み込ませるとともに、係止溝１２に固定具本体２１の圧接脚片２３を圧接させて固定を完了する。
【００４５】
ところで、装着位置の調節には、固定具本体２１が仮止め状態の時に固定具本体２１のみを調節することも可能である。また、前記補助側板４１と補強材５１の組物を固定具本体２１に仮止め後に装着位置を決めて調節し、最後に載置板６１を取り付けることも可能である。いずれの調節手段を採ったにせよ、装着位置の調節後の最終作業として、固定ネジ３１と装着ネジ４２を所定量螺入することで、螺入したすべての固定ネジと対応する固定具本体２１の圧接脚片２３の全てが拡開されて、支柱１０に什器ユニット（棚板）６２が確実に固定される。
【産業上の利用可能性】
【００４６】
本発明に係る固定具は、係止溝を有する支柱や横架材に被固定物を固定する、例えば収納棚や業務用のラック、あるいはテラスやカーポート等の軽量構造物などに利用可能である。
【図面の簡単な説明】
【００４７】
【図１】本発明に係る固定具の一実施の形態を示す分解斜視図である。
【図２】図１に示す固定具を支持材に固定した状態を示す横断面図である。
【図３】本発明に係る組立式什器の一実施態様を示す部分分解斜視図である。
【図４】従来の固定具を示す分解斜視図である。
【図５】従来の固定具を支持材に固定した状態を示す横断面図である。
【符号の説明】
【００４８】
１１          支持材
１２          係止溝
１３，１４    対向壁面
２０          固定具
２１          固定具本体
２２          背板部
２３          圧接脚片
２４，２５    突縁部
２６          ネジ孔
３１          固定ネジ
６０          被固定物
【図１】
2007229005.tif 000003
【図２】
2007229005.tif 000004
【図３】
2007229005.tif 000005
【図４】
2007229005.tif 000006
【図５】
2007229005.tif 000007